(57)【要約】【課題】  通常のパジャマやパジャマのような外観を有し、このため、普段着や旅行先の衣服として用いることができるとともに、簡単に製作でき、寝心地のよいいびき防止具を得ようとするものである。【解決手段】  いびき防止具は、仕切り生地によって上衣の背中側内部の中央に形成されたポケットと、該ポケット内に配置されるエアバッグであって、内部が仕切り壁によって上下のエア室に気密的に分離され、各エア室にはエアを注入可能であるとともに、エア室を密閉し得る弁が設けられる。【選択図】  図３
2016097201.tif 000002
【特許請求の範囲】
【請求項１】
仕切り生地によって上衣の背中側内部の中央に形成されたポケットと、該ポケット内に配置される、中央に仕切り壁が設けられたエアバックと、を有することを特徴とするいびき防止具。
【請求項２】
請求項１記載のいびき防止具において、前記エアバックには、エア単独またはエアと水またはエアと流動性のある糊素材が入れられることを特徴とするいびき防止具。
【発明の詳細な説明】
【技術分野】
【０００１】
本発明はいびき防止具に関する。
【背景技術】
【０００２】
種々のいびき防止具、いびき防止枕が開発されており、その１つに特開平１１−２４４３１７号公報記載の発明（いびき抑制具）がある。この公報に記載のいびき抑制具の１つの実施例では、例えば、パジャマのような寝間着の上衣の背中の中央部分にスナップファスナーでガス封入袋を取り付けるようになっている。
【０００３】
他の実施例では、上衣にガス封入袋を入れるためのポケット（例えば、腹かけ等）を形成したものが用いられているが、ポケットは肩掛けベルトによって人が付けるようになっている。ガス封入袋は内部にガスを封入する単一の部材からなる。
【先行技術文献】
【特許文献】
【０００４】
【特許文献１】特開平１１−２４４３１７号公報
【発明の概要】
【発明が解決しようとする課題】
【０００５】
前述の公報記載の発明の１つの実施例では、スナップファスナーでガス封入袋を上衣に取り付けるため、スナップファスナーが背中の内側および外側から目立ちめばえがよくない。また、ガス封入袋を取り付けないで上衣を使用すると、スナップファスナーが背中に当たり寝心地のよいものではない。さらにまた、肩掛けベルトとポケットでは部品点数も多くなり、寝てるときの人の動きによって、ガス封入袋を安定に保持できない。
【課題を解決するための手段】
【０００６】
本発明のいびき防止具は、仕切り生地によって上衣の背中側内部の中央に形成されたポケットと、該ポケット内に配置される、中央に仕切り壁が設けられたエアバックと、を有することを特徴とする。
【発明の効果】
【０００７】
本発明によれば、通常のシャツやパジャマのような外観を有し、このため、普段着や旅行先の衣服として用いることができるとともに、簡単に製作でき、寝心地のよいいびき防止具が得られる。
【図面の簡単な説明】
【０００８】
【図１】本発明のいびき防止具の正面図である。
【図２】本発明のいびき防止具の背面図である。
【図３】本発明のエアバックとエアバックを上衣のポケットに入れた状態を示す図である。
【図４】エアを注入したエアバックを入れた状態を示す側面図である。
【図５】人がいびき防止具を着てベットに寝たときの状態を示す図である。
【発明を実施するための形態】
【０００９】
本発明のいびき防止具は、仕切り生地によって上衣の背中側内部の中央にポケットが形成され、そのポケット内に、中央に仕切り壁が設けられたエアバックが配置される。
【実施例】
【００１０】
図１の正面図および図２の背面図を参照すると、本発明のいびき防止具が示されている。いびき防止具１０は、例えば、シャツ、パジャマのような上衣１２からなる。説明の便宜上、中袖のシャツを例に挙げて説明する。シャツ１２は、中袖１４を有し、襟首１６を有する。仕切り生地１８は、襟首１６と同様な襟首を有し、シャツと同様な素材であることが好ましい。仕切り生地１８は、上衣１２の背中上部から間隔を開けて下方に縫い付けられ（縫い付け部分は１８ａで示す）、さらに、下方部分で横方向に縫い付けられて（縫い付け部分は１８ｂで示す）、上衣の背中部分にポケット２０を形成する。
【００１１】
図３を参照すると、右側に、エアバック３０が示されている。エアバック３０は、その中間で横方向に仕切られる仕切り壁３４が設けられており、上下方向に２つのエア室３２が形成されている、各エア室３２には、弁３６が取付けられており、この弁３６を介して、例えば、呼気によってエアをエア室３２に注入し、密閉できる。なお、場合によっては、エアだけではなく、エアと水（冷水または温水）を注入してもよい。２つのエア室３２があるため、個々にエア室内のエアの量を調節でき、寝心地をよくできる。エアと水を注入した場合には、エア量を少なくでき、エアバック３０の安定性が増す。注入される水が冷水の場合、夏のような熱い日々では、体温を冷却でき、寝心地をよくできる。また、注入される水が温水の場合、冬のような寒い日々には、体温を温めることができ、やはり寝心地をよくできる。水に代えて、流動性のある糊素材もエアとともに注入してもよい。この場合、エアを入れたエアバックの形状を安定に保つことができ、やはり寝心地をよくする。
【００１２】
図３の左側の図面には、エアバック３０が上方からポケットに入れられて配置された状態が示されている。図４はエアバックにエアが注入されたときの側面であり、後方に上衣が膨らんでいる。図５は、人がいびき防止具を着てベットに寝たときの状態を示す図である。この膨らんだ状態のいびき防止具を人４０が着てベット４２に入ると。膨らみによって人は仰向けから横向きに姿勢を変えることとなる。それによって、気道が舌によって塞がれるのを防ぎ、いびきを減らすことができ、無呼吸を減らし、鼻詰まりを減らすことができる。
【００１３】
なお、いびき防止具を着て寝ると、今まで使用していた枕では、頭の高さが低くなる。頭の高さを調節するために、前述のエアバックと同様のエアバックを枕の下に入れ、高さを調整してもよい。
【符号の説明】
【００１４】
１０  いびき防止具
１２  上衣
１４  中袖
１６  襟首
１８  仕切り生地
３０  エアバック
３２  エア室
３４  仕切り壁
【図１】
2016097201.tif 000003
【図２】
2016097201.tif 000004
【図３】
2016097201.tif 000005
【図４】
2016097201.tif 000006
【図５】
2016097201.tif 000007
【手続補正書】
【提出日】平成27年11月18日(2015.11.18)
【手続補正１】
【補正対象書類名】特許請求の範囲
【補正対象項目名】全文
【補正方法】変更
【補正の内容】
【特許請求の範囲】
【請求項１】
仕切り生地によって上衣の背中側内部の中央に形成されたポケットと、該ポケット内に配置される中央に仕切り壁が設けられたエアバッグであって、内部が仕切り壁によって上下のエア室に気密的に分離され、各エア室にはエアを注入可能であるとともに、エア室を密閉し得る弁が設けられているエアバッグと、を有することを特徴とするいびき防止具。
【請求項２】
請求項１記載のいびき防止具において、前記エアバッグには、エア単独またはエアと水またはエアと流動性のある糊素材が入れられることを特徴とするいびき防止具。
【手続補正２】
【補正対象書類名】明細書
【補正対象項目名】０００６
【補正方法】変更
【補正の内容】
【０００６】
本発明のいびき防止具は、仕切り生地によって上衣の背中側内部の中央に形成されたポケットと、該ポケット内に配置されるエアバッグであって、内部が仕切り壁によって上下のエア室に気密的に分離され、各エア室にはエアを注入可能であるとともに、エア室を密閉し得る弁が設けられていることを特徴とする。
【手続補正３】
【補正対象書類名】明細書
【補正対象項目名】０００８
【補正方法】変更
【補正の内容】
【０００８】
【図１】本発明のいびき防止具の正面図である。
【図２】本発明のいびき防止具の背面図である。
【図３】本発明のエアバッグとエアバッグを上衣のポケットに入れた状態を示す図である。
【図４】エアを注入したエアバッグを入れた状態を示す側面図である。
【図５】人がいびき防止具を着てベッドに寝たときの状態を示す図である。
【手続補正４】
【補正対象書類名】明細書
【補正対象項目名】０００９
【補正方法】変更
【補正の内容】
【０００９】
本発明のいびき防止具は、仕切り生地によって上衣の背中側内部の中央に形成されたポケットと、そのポケット内に、内部が仕切り壁によって上下のエア室に気密的に分離され、各エア室にはエアを注入可能であるとともに、エア室を密閉し得る弁が設けらたエアバッグが挿入される。
【手続補正５】
【補正対象書類名】明細書
【補正対象項目名】００１１
【補正方法】変更
【補正の内容】
【００１１】
図３を参照すると、右側に、エアバッグ３０が示されている。エアバッグ３０は、その中間で、横方向に延びる仕切り壁３４によって上下方向に仕切られ、エアバッグ３０内に上下方向に２つのエア室３２が形成されている。各エア室３２には、弁３６が取付けられており、この弁３６を介して、例えば、呼気によってエアをエア室に注入し、密閉できる。なお場合によっては、エアだけでなく、エアと水（冷水または温水）を注入してもよい。２つのエア室３２があるため、個々にエア室内のエアの量を調節でき、寝心地をよくできる。エアと水を注入した場合には、エア量を少なくでき、エアバッグ３０の安定性が増す。注入される水が冷水の場合、夏のような熱い日々では、体温を冷却でき、寝心地をよくできる。また、注入される水が温水の場合、冬のような寒い日々には、体温を温めることができ、やはり寝心地をよくできる。水に代えて、流動性のある糊素材もエアとともに注入してもよい。この場合、エアを入れたエアバッグの形状を安定に保つことができ、やはり寝心地をよくする。
【手続補正６】
【補正対象書類名】明細書
【補正対象項目名】００１２
【補正方法】変更
【補正の内容】
【００１２】
図３の左側の図面には、エアバッグ３０が上下からポケットに入れられて配置された状態が示されている。図４はエアバッグにエアが注入されたおきの側面であり、後方に上衣が膨らんでいる。図５は、人がいびき防止具を着てベッドに寝たときの側面であり、後方に上衣が膨らんでいる。図５は、人がいびき防止具を着てベッドに寝たときの状態を示す図である。この膨らんだ状態のいびき防止具を人４０が着てベッド４２に入ると、膨らみによって人は仰向けから横向きに姿勢を変えることになる。それによって、気道が舌によって塞がれるのを防ぎ、いびきを減らすことができ、無呼吸を減らし、鼻詰まりを減らすことができる。
【手続補正７】
【補正対象書類名】明細書
【補正対象項目名】００１３
【補正方法】変更
【補正の内容】
【００１３】
なお、いびき防止具を着て寝ると、今まで使用していた枕では、頭の高さが低くなる。頭の高さを調節するために、前述のエアバッグを同様のエアバッグを枕の下に入れ、高さを調節してもよい。
【手続補正８】
【補正対象書類名】明細書
【補正対象項目名】００１４
【補正方法】変更
【補正の内容】
【００１４】
１０  いびき防止具
１２  上衣
１４  中袖
１６  襟首
１８  仕切り生地
３０  エアバッグ
３２  エア室
３４  仕切り壁